(57)【要約】【課題】  比較的単純な構成により、鍵スイッチによる足鍵盤の押鍵状態の検出精度を向上させることができる電子鍵盤楽器の足鍵盤装置を提供する。【解決手段】  前後方向に延びる回動自在の複数の足鍵盤２と、後端部が固定され、前後方向に延びるとともに、前端部が足鍵盤２の各々の後端部に載った状態で支持される単一の板ばね状のスイッチアクチュエータ１９と、足鍵盤２の押鍵状態を検出する鍵スイッチ１８と、を備え、この鍵スイッチ１８は、スイッチアクチュエータ１９の下方に前後方向に並んで配置され、足鍵盤２が押鍵されたときに、スイッチアクチュエータ１９の付勢力により順次、オンされる第１および第２接点２２ａ、２２ｂを有する。【選択図】  図６
2006259767.tif 000002
【特許請求の範囲】
【請求項１】
前後方向に延びる回動自在の複数の足鍵盤と、
後端部が固定され、前後方向に延びるとともに、前端部が前記足鍵盤の各々の後端部に載った状態で支持される単一の板ばね状のスイッチアクチュエータと、
前記足鍵盤の押鍵状態を検出する鍵スイッチと、を備え、
この鍵スイッチは、前記スイッチアクチュエータの下方に前後方向に並んで配置され、前記足鍵盤が押鍵されたときに、前記スイッチアクチュエータの付勢力により順次、オンされる第１および第２接点を有することを特徴とする電子鍵盤楽器の足鍵盤装置。
【請求項２】
前記複数の足鍵盤は、中空の断面矩形の鍵盤本体を有し、
前記鍵盤本体の下面に前後方向に延びるように前記足鍵盤ごとに設けられ、当該足鍵盤を上方に付勢する板ばね状の鍵復帰ばねと、
前記鍵復帰ばねを前記鍵盤本体の下面に下方から固定するブラインドリベットと、
をさらに備えることを特徴とする、請求項１に記載の電子鍵盤楽器の足鍵盤装置。
【請求項３】
前記鍵支持部材は、板状に形成され、前端部に、カール状に巻かれ、前記前シャーシに載置された支点部を有するとともに、前記鍵復帰ばねの後半部に上下方向に重ね合わされ、前記ブラインドリベットによって、前記鍵復帰ばねの前記後半部ととともに前記鍵盤本体に固定されていることを特徴とする、請求項２に記載の電子鍵盤楽器の足鍵盤装置。
【発明の詳細な説明】
【技術分野】
【０００１】
本発明は、大型の電子オルガンなどの足元に配置され、踏込み操作により発音を行うための電子鍵盤楽器の足鍵盤装置に関する。
【背景技術】
【０００２】
従来のこの種の足鍵盤装置として、例えば特許文献１に開示されたものが知られている。この足鍵盤装置は、左右方向に延びる前後（演奏者から見て手前側および奥側）のケースと、これらの前後のケースを連結する複数の連結棒と、前後のケース間に前後方向に延び、左右方向に並設された複数の足鍵盤とを備えている。これらの足鍵盤は、黒鍵および白鍵で構成され、それぞれ矩形の断面を有している。各足鍵盤の下面の前端部には、上方からねじ込まれたねじやボルトによって鍵復帰ばねが固定され、この鍵復帰ばねは、鍵支点部材を介して前ケースに取り付けられている。以上の構成により、足鍵盤は、鍵復帰ばねにより上方に付勢された状態で、前端部を中心として回動自在に前ケースに支持されている。
【０００３】
また、後ケースには、これに固定したスイッチフレームを介して、鍵スイッチおよびスイッチアクチュエータが設けられている。鍵スイッチは、スイッチフレームに固定されたプリント基板と、このプリント基板上に、各足鍵盤に対応して左右方向に並設された一対のスイッチ接点を備えている。一方、スイッチアクチュエータは、板ばね状のものであり、後端部がスイッチフレームにねじ止めされるとともに、その前側は、一対のスイッチ接点に対応するように左右に二股に分岐した一対の可動片になっている。これらの可動片は、前後方向に延び、互いに上下方向の段差を有するとともに、その前端部が足鍵盤の後端部に、これを下方に付勢した状態で載っている。
【０００４】
以上の構成により、足鍵盤を鍵復帰ばねの付勢力に抗して押鍵する（踏み込む）と、それに追随してスイッチアクチュエータの一対の可動片が下降し、それらの付勢力および互いの段差により、鍵スイッチの一対のスイッチ接点を順次、押圧することによりオンさせる。この押鍵の途中で、足鍵盤の後端部は、一対の可動片からそれらの段差に応じて順次、離れる。そして、このような鍵スイッチのオン作動に応じたタイミングで発音がなされるとともに、一対のスイッチ接点間のオン時間差に応じて音量が制御されることで、足鍵盤の押鍵速度（押鍵の強弱）に応じた音量（タッチレスポンス）が得られるようになっている。
【０００５】
しかし、上述した従来の足鍵盤装置では、鍵復帰ばねが足鍵盤にねじやボルトで固定されているので、演奏時に足で強く踏むような操作を行う関係上、ねじなどが緩みやすく、それにより、鍵スイッチの作動タイミングやオン時間差などの検出精度が低下しやすいことで、適正な発音制御が行えないという問題がある。また、ねじなどが足鍵盤に上方からねじ込まれ、その頭部が足鍵盤の上面に露出するので、その外観を損なわないよう、例えば前ケースのカバーをねじの上方まで延ばして覆う必要があり、その場合には足鍵盤装置が大型化してしまう。
【０００６】
さらに、鍵スイッチの左右のスイッチ接点を、スイッチアクチュエータの左右一対の可動片でそれぞれ押すことによって、鍵スイッチを作動させるので、一対の可動片のばね力や曲がり具合および両者の高さ関係などが、鍵スイッチの検出精度に直接的に影響してしまうため、高い検出精度を得にくく、これを確保するための調整が煩雑になるという問題がある。また、スイッチアクチュエータに、互いに段差を有する一対の可動片を形成しなければならず、その形状が複雑であるため、製造コストが増大する。さらに、足鍵盤を押鍵した際、その途中までは一対の可動片の付勢力が押鍵を補助する力として足鍵盤に作用するとともに、その後に足鍵盤が一対の可動片から順次、離れることで、その付勢力が２段階で急に作用しなくなるので、足鍵盤を円滑に押鍵できないという欠点もある。
【０００７】
さらに、足鍵盤が前ケースに支持されるのに対し、鍵スイッチおよびスイッチアクチュエータが、前ケースとは別個の後ケースに取り付けられているため、足鍵盤と鍵スイッチおよびスイッチアクチュエータとを所定の高さ関係にするのが難しく、このこともまた、鍵スイッチの検出精度を低下させる原因になる。
【０００８】
本発明は、このような課題を解決するためになされたものであり、比較的単純な構成により、鍵スイッチによる足鍵盤の押鍵状態の検出精度を向上させることができる電子鍵盤楽器の足鍵盤装置を提供することを目的とする。
【０００９】
【特許文献１】実開平３−５６９９０号公報（実公平７−３６３９６号公報）
【発明の開示】
【課題を解決するための手段】
【００１０】
この目的を達成するため、本発明の請求項１による電子鍵盤楽器の足鍵盤装置は、前後方向に延びる回動自在の複数の足鍵盤と、後端部が固定され、前後方向に延びるとともに、前端部が足鍵盤の各々の後端部に載った状態で支持される単一の板ばね状のスイッチアクチュエータと、足鍵盤の押鍵状態を検出する鍵スイッチと、を備え、この鍵スイッチは、スイッチアクチュエータの下方に前後方向に並んで配置され、足鍵盤が押鍵されたときに、スイッチアクチュエータの付勢力により順次、オンされる第１および第２接点を有することを特徴とする。
【００１１】
この足鍵盤装置によれば、足鍵盤に沿って前後方向に配置された鍵スイッチの第１および第２接点を、同方向に延びる単一の板ばね状のスイッチアクチュエータで押すことによって、鍵スイッチを作動させるので、左右方向に並設した一対の可動片を用いる従来の場合と異なり、煩雑な調整を必要とすることなく、鍵スイッチの高い検出精度を得ることができる。また、スイッチアクチュエータが単一の板ばね状に形成され、その形状が単純になるので、製造コストを削減できる。さらに、押鍵の途中で、足鍵盤がスイッチアクチュエータから１段階でのみ離れるので、足鍵盤の押鍵をより円滑に行うことができる。
【００１２】
この場合、複数の足鍵盤は、中空の断面矩形の鍵盤本体を有し、鍵盤本体の下面に前後方向に延びるように足鍵盤ごとに設けられ、足鍵盤を上方に付勢する板ばね状の鍵復帰ばねと、鍵復帰ばねを鍵盤本体の下面に下方から固定するブラインドリベットと、をさらに備えることが好ましい。
【００１３】
この電子鍵盤楽器の足鍵盤装置によれば、足鍵盤の中空の鍵盤本体とこれを離鍵位置に付勢する板ばね状の鍵復帰ばねが、ブラインドリベットで固定されるので、従来のねじやボルトで固定する場合と比較して、足鍵盤と鍵復帰ばねが緩みにくくなることで、鍵スイッチの検出精度を向上させることができる。また、ブラインドリベットが、鍵復帰ばねを足鍵盤の鍵盤本体の下面に下方から固定することで、足鍵盤の上面には露出しないので、例えば前ケースのカバーをブラインドリベットの部分まで延ばす必要がなくなり、その分、足鍵盤装置のコンパクト化を図ることができる。
【００１４】
この場合、鍵支持部材は、板状に形成され、前端部に、カール状に巻かれ、前シャーシに載置された支点部を有するとともに、鍵復帰ばねの後半部に上下方向に重ね合わされ、ブラインドリベットによって、鍵復帰ばねの後半部ととともに鍵盤本体に固定されていることが好ましい。
【００１５】
この構成では、ブラインドリベットの一度のかしめによって、鍵支持部材と鍵復帰ばねとを足鍵盤に固定でき、足鍵盤装置の組立をより容易に行うことができる。
【発明を実施するための最良の形態】
【００１６】
以下、本発明の一実施形態を、図面を参照しながら説明する。この足鍵盤装置１は、大型の電子オルガンなどの電子鍵盤楽器（図示せず）の足元に配置して用いるものである。図１および図２に示すように、足鍵盤装置１は、左右方向に並設され、前後方向に延びる複数（例えば２５本）の足鍵盤２と、左右方向に互いに平行に延び、足鍵盤２の前端部および後端部（演奏者から見て手前側および奥側の端部）をそれぞれ収容する前後のケース５、６と、これらのケース５、６を連結する複数（例えば４本）の連結棒７を備えている。
【００１７】
足鍵盤２は、白鍵２ａと黒鍵２ｂから成り、鉄などから成る断面矩形の角パイプ状の鍵盤本体３と、その上面にねじ止めされたＡＢＳなどの合成樹脂製の鍵盤カバー４（白鍵カバー４ａおよび黒鍵カバー４ｂ）でそれぞれ構成されている。
【００１８】
図３および図４に示すように、前ケース５は、例えば木製の前板５ａおよび蓋板５ｂを有する断面逆Ｌ字状に形成され、背面側が開放されており、その内部下側に前シャーシ８が配置されている。この前シャーシ８は、折り曲げた鉄板などで構成され、逆Ｕ字状の断面を有し、前ケース５のほぼ全体にわたるように左右方向に延びていて、その下側からはめ込まれた左右両端部の当て木９（一方のみ図示）を介して、前ケース５に固定されている。一方、図５および図６に示すように、後ケース６は、木製の底板６ａ、背板６ｂおよび蓋板６ｃを有する断面コ字状に形成され、前面側が開放されている。
【００１９】
各連結棒７は、鉄などから成る断面矩形の角パイプ状のものである。連結棒７の前端部は、前ケース５内の前板５ａ付近まで延び、前シャーシ８の上面に２本のボルト１０で固定されている。また、連結棒７は、下面後端部に溶接などで固定され、後方に延びる連結部７ａを有しており、この連結部７ａの部分で、２組のボルト１１ａおよびナット１１ｂによって、後シャーシ１２とともに、後ケース６の底板６ａに共締めされ、固定されている。この後シャーシ１２は、前シャーシ８と同様、折り曲げた鉄板などにより、断面逆Ｕ字状に形成され、後ケース６のほぼ全体にわたるように左右方向に延びている。以上のように、本実施形態では、前後のケース５、６が複数の連結棒７で連結されるとともに、これらの連結棒７に前後のシャーシ８、１２が直結されている。なお、図中の符号１３は、足鍵盤装置１を床Ｆに支持するために前ケース５および後ケース６にねじ止めされたゴム製の脚部である。
【００２０】
図３および図４に示すように、足鍵盤２の前端部は前ケース５内に若干入り込んでおり、その下面に鍵復帰ばね１４および鍵支持部材１５が順に設けられている。鍵復帰ばね１４は板ばねで構成され、前半部が足鍵盤２よりも前方に延びていて、前シャーシ８にボルト１６ａおよびナット１６ｂで固定されている。鍵支持部材１５も板状のもので、その前端部にカール状に巻いた支点部１５ａを有しており、この支点部１５ａが足鍵盤２の前端の少し前側で前シャーシ８に載っている。そして、足鍵盤２の下側に延びる鍵復帰ばね１４の後半部および鍵支持部材１５が、足鍵盤２の鍵盤本体３の下面に、２本のブラインドリベット１７、１７によって下方から固定されている。このブラインドリベット１７は、差し込んだ側からかしめ可能な周知のものである。以上の構成により、足鍵盤２は、鍵支持部材１５の支点１５ａを中心として前シャーシ８に回動自在に支持されるとともに、鍵復帰ばね１４によって上方すなわち復帰方向に常時、付勢される。
【００２１】
図５および図６に示すように、後ケース６内には、各足鍵盤２の押鍵状態を検出する鍵スイッチ１８と、足鍵盤２の押鍵に伴い、鍵スイッチ１８を作動させるスイッチアクチュエータ１９が設けられている。鍵スイッチ１８は、後シャーシ１２にスペーサ２０を介してねじ止めされたプリント基板２１と、プリント基板２１上に取り付けられたスイッチ本体２２を備えている。スイッチ本体２２は、例えばシリコンゴムで構成されており、前後方向に並んだ第１および第２接点２２ａ、２２ｂを一体に有している。両接点２２ａ、２２ｂは、下方に突出し、プリント基板２１に形成された一対の固定接点（図示せず）にそれぞれ対向しており、また、後ろ側の第１接点２２ａとその固定接点との間隔は、前側の第２接点２２ｂとその固定接点との間隔よりも小さく設定されている。これらの固定接点は、発音制御装置（図示せず）に接続されている。
【００２２】
スイッチアクチュエータ１９は、屈曲したステンレス製などの単一の板ばねで構成されており、後端部が後シャーシ１２にねじ２３で固定され、前後方向に延びている。一方、足鍵盤２の上面後端部には、金属製のばね受け２４がねじ止めされ、後方に突出していて、その先端部にゴムブロック２４ａが設けられており、このゴムブロック２４ａにスイッチアクチュエータ１９の前端部が上方から当接可能になっている。なお、図６中の符号２５および２６は、足鍵盤２の回動の上限および下限位置をそれぞれ規制する上限および下限ストッパである。
【００２３】
次に、上記構成の足鍵盤装置１の動作を、図６および図７を参照しながら説明する。図６に示す離鍵状態では、足鍵盤２は、鍵復帰ばね１４で付勢されることにより、後部が持ち上げられ、上限ストッパ２５に当接した状態になっている。これに伴い、スイッチアクチュエータ１９の前端部は、ばね受け２４のゴムブロック２４ａを介して足鍵盤２により押し上げられていて、その反力により、足鍵盤２を下方に付勢している。また、この状態では、スイッチアクチュエータ１９は鍵スイッチ１８のスイッチ本体２２を押圧しておらず、それにより、その第１および第２接点２２ａ、２２ｂはプリント基板２１の固定接点に接触していないため、鍵スイッチ１８はオフ状態になっている。
【００２４】
この離鍵状態から、足鍵盤２を押鍵する（踏み込む）と、足鍵盤２は、鍵復帰ばね１４の付勢力に抗して、鍵支持部材１５の支点１５ａを中心として下方に回動し、それに追随してスイッチアクチュエータ１９が下降し、その付勢力により鍵スイッチ１８のスイッチ本体２２を押圧する。これにより、まず第１接点２２ａがその固定接点に接することによってオンされ、その後、足鍵盤２の押鍵が進み、所定のストロークに達したときに、第２接点２２ｂがその固定接点に接し、オンされる。そして、発音制御装置により、鍵スイッチ１８のオン作動に応じて発音タイミングが制御されるとともに、第１および第２接点２２ａ、２２ｂ間のオン時間差に応じて音量が制御されることで、足鍵盤２の押鍵の強弱に応じた音量が得られる。また、足鍵盤２の押鍵の途中で、ゴムブロック２４ａがスイッチアクチュエータ１９から離れるとともに、足鍵盤２は最終的に下限ストッパ２６に当接することで、その下限位置に規制される（図７参照）。
【００２５】
以上のように、本実施形態の足鍵盤装置１によれば、足鍵盤２に沿って前後方向に配置された鍵スイッチ１８の第１および第２接点２２ａ、２２ｂを、同方向に延びる単一の板ばね状のスイッチアクチュエータ１９で押すことによって、鍵スイッチ１８を作動させるので、左右方向に並設した一対の可動片を用いる従来の場合と異なり、煩雑な調整を必要とすることなく、鍵スイッチ１８の高い検出精度を得ることができる。また、スイッチアクチュエータ１９が単一の板ばね状に形成され、その形状が単純になるので、製造コストを削減できる。さらに、押鍵の途中で、足鍵盤２がスイッチアクチュエータ１９から１段階でのみ離れるので、足鍵盤２の押鍵をより円滑に行うことができる。
【００２６】
また、前後のケース５、６を連結する連結棒７に前後のシャーシ８、１２が直結され、前シャーシ８に鍵支持部材１５が取り付けられるとともに、後シャーシ１２に鍵スイッチ１８が取り付けられるので、連結棒７を基準として、足鍵盤２および鍵スイッチ１８を所定の高さ関係に容易に設定でき、それにより、鍵スイッチ１８の検出精度をさらに向上させることができる。
【００２７】
さらに、足鍵盤２の鍵盤本体３とこれを離鍵位置に付勢する鍵復帰ばね１４が、ブラインドリベット１７で固定されるので、従来のねじやボルトで固定する場合と比較して、足鍵盤２と鍵復帰ばね１４が緩みにくくなることで、鍵スイッチ１８の検出精度をより一層、向上させることができる。また、鍵支持部材１５が鍵復帰ばね１４と一緒にブラインドリベット１７によって取り付けられるので、足鍵盤装置１の組立をより容易に行うことができる。さらに、ブラインドリベット１７が下方から設けられ、足鍵盤２の上面には露出しないので、前ケース５の蓋板５ｂをブラインドリベット１７の部分まで延ばす必要がなくなり、その分、足鍵盤装置１のコンパクト化を図ることができる。
【図面の簡単な説明】
【００２８】
【図１】本発明の一実施形態による足鍵盤装置の部分平面図である。
【図２】足鍵盤装置の側面図である。
【図３】足鍵盤装置の前部を示す、前ケースの蓋板を取り除いた状態の部分拡大平面図である。
【図４】図３に対応する足鍵盤装置の部分拡大側断面図である。
【図５】足鍵盤装置の後部を示す、後ケースの蓋板を取り除いた状態の部分拡大平面図である。
【図６】図３に対応する足鍵盤装置の離鍵状態を示す部分拡大断面図である。
【図７】足鍵盤装置の離鍵状態を示す部分拡大断面図である。
【符号の説明】
【００２９】
１  足鍵盤装置
２  足鍵盤
４  鍵盤本体
５  前ケース
６  後ケース
８  前シャーシ
７  連結棒
１２  後シャーシ
１４  鍵復帰ばね
１５  鍵支持部材
１７  ブラインドリベット
１８  鍵スイッチ
１９  スイッチアクチュエータ
２２ａ  第１接点
２２ｂ  第２接点
【図１】
2006259767.tif 000003
【図２】
2006259767.tif 000004
【図３】
2006259767.tif 000005
【図４】
2006259767.tif 000006
【図５】
2006259767.tif 000007
【図６】
2006259767.tif 000008
【図７】
2006259767.tif 000009